(57)【要約】【課題】  各構成部材の強度を大きくし、長期に亘って形状を維持できると共に、各構成部材が変形及び変色し難くい紙製構造材及び紙製構造体を提供する。【解決手段】  厚肉の板紙から成る板状部材２の所定部所に、断面においてＶ字状を呈する折曲溝部３を形成すると共に、両側端部４に傾斜面４ａを形成した素材１を使用する。この板状部材２を折曲溝部３において内側に折曲し、折曲溝部３の傾斜面３ａ，３ａ同士を当接し、接着させて、所定角度を為す角隅部１０ａを形成して、矩形断面形状を呈する紙製構造材１０を構成する。紙製構造材１０は、その内部に長さ方向に連続する空洞Ｓを画成してある。この紙製構造材１０を複数連結して、又は組み合わせて、紙製構造体１００を構成する。【選択図】          図３
2017023303.tif 000002
【特許請求の範囲】
【請求項１】
厚肉の板紙から成る板状部材の所定部所に、断面においてＶ字状を呈する折曲溝部を形成すると共に、両側端部に傾斜面を形成した素材を使用し、前記板状部材を前記折曲溝部において内側に折曲し、前記折曲溝部の傾斜面同士を当接、接着させて、所定角度を為す角隅部を形成して、構成したことを特徴とする紙製構造材。
【請求項２】
前記紙製構造材は、その内部に長さ方向に連続する空洞が画成されていることを特徴とする請求項１に記載の紙製構造材。
【請求項３】
前記紙製構造材は、４つの角隅部を有する矩形断面形状を呈することを特徴とする請求項１又は２に記載の紙製構造材。
【請求項４】
請求項３に記載の紙製構造材を複数個使用し、その側面同士を当接、接着して、紙製構造材を横方向に連結すると共に、その連結した表面に矩形状の板紙から成る板状部材を貼着して、構成したことを特徴とする板状を呈する紙製構造材。
【請求項５】
請求項３に記載の紙製構造材を縦横に複数使用し、各紙製構造材の連結個所を接着することによって、構成したことを特徴とする紙製構造体。
【請求項６】
請求項３に記載の紙製構造材の端部を適宜傾斜角度に切欠したことを特徴とする紙製構造材。
【請求項７】
請求項３に記載の紙製構造材の端部を適宜傾斜角度に切欠すると共に、その端部に薄肉の金属製板材から成る中空の矩形状断面を呈する連結部材を固着したことを特徴とする紙製構造材。
【請求項８】
請求項６に記載の紙製構造材と請求項７に記載の紙製構造材とを、適宜連結部材を介して連結することによって、構成したことを特徴とする紙製構造体。
【発明の詳細な説明】
【技術分野】
【０００１】
本発明は、棚、机、椅子等の室内家具及び室内装飾品を構成するための紙製構造材、並びにその紙製構造材を使用して構成した棚、机、椅子等の室内家具及び室内装飾品としての紙製構造体に関する。
【背景技術】
【０００２】
棚、机、椅子等の室内家具、室内装飾品等のインテリアは、一般的に、木材、金属材料又は合成樹脂材料を使用して構成してある。
【０００３】
そして、木材、金属材料又は合成樹脂材料を使用して構成したインテリアは、その表面に装飾を施し易く、豪華さを演出できると共に、強度が高く、耐久性に優れるために、長期間に亘って使用することができる。
【０００４】
しかし、木材、金属材料又は合成樹脂材料を使用して構成したインテリアは、材料費及び製造コストが高いために、製品が高価になる、という問題点がある。又、比較的に重量重く、嵩張るために、運搬コストもかかる。さらには、容易に分解又は破壊できないために、廃棄処分が面倒であり、費用も高いという問題点がある。
【０００５】
そこで、最近では、これらの問題点を解消するために、インテリアを構成するための構造材として、紙材を使用するものが提案されている（特許文献１及び２参照）。
【０００６】
特許文献１に記載された組立式棚は、支柱部を紙製の筒状部材とし、棚板部を紙製の板状部材として、それらを組み合わせて構成したものである。
又、特許文献２に記載された収納用ラックは、折曲部位にＶカット溝部を形成した紙製の板状部材を使用し、その板状部材を折曲部位で折曲し、適宜組み合わせて構成したものである。
【０００７】
前記組立式棚及び収納用ラックは、紙材から成る構成部材を多く使用するために、材料費及び製造コストがかからず、製品が安価なものとなる。又、重量が小さく、嵩張らないために、運搬コストもかからない。さらに、紙材から成る構成部材は、容易に分解又は破壊できて、焼却することができるので、廃棄処分のための費用もかからない。
【０００８】
【特許文献１】実用新案登録第３１０３６７３号
【特許文献２】特開２００１−１６１４５８号公報
【発明の開示】
【発明が解決しようとする課題】
【０００９】
しかし、前記特許文献１に記載の組立式棚は、棚板部の構成部材は単なる紙製の板状部材であるから、棚板部の強度が小さく、重量の大きいものは載置できないと共に、容易に変形し易く、長期に亘って形状を維持できない、という問題点がある。
【００１０】
又、前記特許文献２に記載の収納用ラックは、折曲した紙製の板状部材を構成部材としているから、各板部の強度が小さく、重量の大きいものは載置できないと共に、容易に変形し易く、長期に亘って形状を維持できない、という問題点がある。
【００１１】
さらに、紙製の板状部材は、湿気を吸収し易いために、比較的短期間のうちに、前記組立式棚、収納用ラックが変形、変色してしまう、という問題点もあった。
【００１２】
本発明は、かかる従来の問題点に鑑みて為されたものであって、材料費及び製造コストがかからない、製品が軽量となり、嵩張らないために、運搬コストがかからない、又、廃棄処分の費用もかからない、という紙材を使用した特徴を維持しつつ、製品の各構成部材の強度を大きくし、重量の大きいものも載置でき、長期に亘って形状を維持でき、各構成部材が変形、変色し難い、紙製構造材を提供することを目的とする。
【００１３】
本発明は、又、前記紙製構造材を使用して、容易に組み立てることができ、又、種々形態の製品を実現することができる紙製構造体を提供することを目的とする。
【課題を解決するための手段】
【００１４】
上記目的を達成するために、本発明の紙製構造材は、厚肉の板紙から成る板状部材の所定部所に、断面においてＶ字状を呈する折曲溝部を形成すると共に、両側端部に傾斜面を形成した板紙素材を使用し、前記板状部材を前記折曲溝部において内側に折曲し、前記折曲溝部の傾斜面同士を当接し、接着させて、所定角度を為す角隅部を形成して、構成したことを特徴とする。
【００１５】
前記紙製構造材は、その内部に長さ方向に連続する空間が画成されており、４つの角隅部を有する矩形状断面を呈することを特徴とする。
【００１６】
本発明の紙製構造材は、又、前記紙製構造材を複数個使用し、その側面同士を当接、接着して、紙製構造材を横方向に連結すると共に、その連結した表面に矩形状の板紙から成る板状部材を貼着して、構成したことを特徴とする。
【００１７】
本発明の紙製構造体は、前記紙製構造材を縦横に複数使用し、各紙製構造材の連結個所を接着することによって、構成したことを特徴とする。
【００１８】
前記紙製構造材は、その端部を適宜傾斜角度に切欠してもよく、さらに、その端部に薄肉の金属製板材から成る中空の矩形状断面を呈する連結部材を固着したものであってもよい。
【００１９】
本発明の紙製構造体は、前記紙製構造材を適宜連結部材を介して連結することによって、構成したことを特徴とする。
【発明の効果】
【００２０】
本発明の紙製構造材によれば、紙材を使用した特徴を維持できる上、さらに、製品の各構成部材の強度を大きくし、重量の大きいものも載置でき、長期に亘って形状を維持できて、各構成部材が変形も変色もし難い。
【００２１】
又、本発明の紙製構造体によれば、前記紙製構造材を使用して、適宜組み立てることによって、種々形態のインテリアを容易かつ簡易に実現することができる。
【図面の簡単な説明】
【００２２】
【図１】本発明の紙製構造材を構成する素材の（Ａ）は平面図、（Ｂ）は側面図である。
【図２】図１に示す素材の（Ａ）は展開した状態、（Ｂ）は折曲溝部で折曲した状態を示す一部拡大側面図である。
【図３】本発明の一実施形態の紙製構造材の（Ａ）は正面図、（Ｂ）は側面図、（Ｃ）は底面図である。
【図４】図３に示す紙製構造材を使用して構成した、板状部材を呈する紙製構造材の（Ａ）は平面図、（Ｂ）は正面図である。
【図５】図３に示す紙製構造材を複数使用して構成した紙製構造体としてのラックの外観斜視図である。
【図６】本発明の他実施形態の紙製構造材の（Ａ）は平面図、（Ｂ）は正面図、（Ｃ）は側面図、（Ｄ）は底面図である。
【図７】本発明の他実施形態の紙製構造材の（Ａ）は平面図、（Ｂ）は正面図、（Ｃ）は側面図、（Ｄ）は底面図である。
【図８】本発明の他実施形態の紙製構造材の（Ａ）は平面図、（Ｂ）は正面図、（Ｃ）は側面図、（Ｄ）は底面図である。
【図９】図６乃至８に示す紙製構造材を使用して構成した紙製構造体としての室内装飾品の側面図である。
【発明を実施するための形態】
【００２３】
［実施形態１］
先ず、本発明の紙製構造材の好適な実施形態について、以下、図面を参照して詳細に説明する。
ここで、図１は、本発明の紙製構造材を構成する素材の（Ａ）は平面図、（Ｂ）は側面図、図２は、その素材の（Ａ）は展開した状態、（Ｂ）は折曲溝部で折曲した状態を示す一部拡大側面図、図３は、本発明の一実施形態の紙製構造材の（Ａ）は正面図、（Ｂ）は側面図、（Ｃ）は底面図、図４は、図３に示す紙製構造材を使用して構成した、板状部材を呈する紙製構造材の（Ａ）は平面図、（Ｂ）は正面図である。
【００２４】
本発明の紙製構造材１０を構成する素材１は、図１に示すように、肉厚をｔ１とする板紙（ボール紙）から成る板状部材２の所定部所に折曲溝部３を形成すると共に、両側端部４に傾斜面４ａを形成したものである。
【００２５】
ここで、板紙としては、肉厚１．５〜４．０ｍｍ、特には、肉厚２．０〜３．０ｍｍの多層抄きのもの（積層紙）を採用するのが好ましいが、単層抄きのものを使用しても構わない。又、使用済の牛乳パックの紙材から形成した再生紙を使用してもよい。
板紙の色彩としては、構成する構造体に合わせて、各種色彩の塗料又は色紙を付加できるように、白色であるのが好ましい。
【００２６】
折曲溝部３は、図１及び２に示すように、板状部材２の長さ方向に所定間隔で形成されており、断面においてＶ字状を呈するものである。
そして、板状部材２の表面２ａ又は裏面２ｂに対する折曲溝部３の傾斜面３ａの傾斜角度θ１は、紙製構造材の形状によって決定されるが、３０〜６０°とするのが好ましい。
【００２７】
紙製構造材として、図３に示すような、断面が矩形状の紙製構造材１０を構成する場合にあっては、図１及び２に示すように、傾斜面３ａの傾斜角度θ１は４５°に設定する。
【００２８】
板状部材２の表面２ａ又は裏面２ｂに対する側端部４の傾斜面４ａの傾斜角度θ２も、同様に、紙製構造材の形状によって決定されるが、３０〜６０°とするのが好ましい。
【００２９】
紙製構造材として、図３に示すような、断面が矩形状の紙製構造材１０を構成する場合にあっては、図１及び２に示すように、傾斜面４ａの傾斜角度θ２は４５°に設定する。
【００３０】
紙製構造材の素材１を使用し、図２に示すように、板状部材２を折曲溝部３において内側に折曲すれば、折曲溝部３の傾斜面３ａ，３ａ同士が当接し、その部所は９０°の角度を為すものとなる。そして、予め、傾斜面３ａ，３ａに接着剤を塗布しておけば、傾斜面３ａ，３ａ同士が接着し、９０°の角度を為す角隅部１０ａが形成される。
【００３１】
他の折曲溝部３も同様に内側に折曲し、傾斜面３ａ，３ａ同士を当接し、接着すれば、図３に示すように、４つの角隅部１０ａを有する矩形状断面を呈する紙製構造材１０を構成することができる。
【００３２】
このようにして構成された紙製構造材１０は、４つの角隅部１０ａ，１０ａ，１０ａ，１０ａが略完全に９０°の角度を為す矩形状断面を呈する杆状部材となり、その内部には長さ方向に連続する空洞Ｓが画成される。
【００３３】
紙製構造材１０は、内部に長さ方向に連続する空洞Ｓを有するから、外観形状、寸法の割には極めて軽量なものとなる。
又、各角隅部１０ａ，１０ａ，１０ａ，１０ａが略完全に９０°の角度を為すから、外観形状がシャープとなると共に、強度が十分に高い紙製構造材となる。
【００３４】
この紙製構造材１０を複数個使用し、その側面１２，１２同士を当接し、接着して、紙製構造材１０を横方向に複数連結すると共に、その連結した表面１１及び裏面１３に矩形状の板紙から成る板状部材５，５を貼着すれば、図４に示すように、板状を呈する別の紙製構造材２０を構成することができる。
【００３５】
紙製構造材２０は、紙製構造材１０と同様に、内部に長さ方向に連続する空洞Ｓを有するから、外観形状、寸法の割には極めて軽量なものとなる。
又、各角隅部１０ａ，１０ａ，１０ａ，１０ａが略完全に９０°の角度を為す紙製構造材１０を構成部材とするから、外観形状がシャープとなると共に、強度が十分に高い紙製構造材となる。
【００３６】
次に、本発明の紙製構造体の好適な実施形態について、以下、図面を参照して詳細に説明する。
ここで、図５は、図３に示す紙製構造材１０を複数使用して構成した、紙製構造体としてのラックの外観斜視図である。
【００３７】
紙製構造体１００としてのラックは、図５に示すように、紙製構造材１０を縦横に複数使用して構成され、具体的には、所定間隔で複数の紙製構造材１０Ａを立設させ、所定間隔で複数の紙製構造材１０Ｂを横架させ、各紙製構造材１０Ａ，１０Ｂの連結個所を接着することによって、構成される。
【００３８】
紙製構造体１００をラックとして使用する場合には、内側面には装飾用の板紙から成る板状部材１０１を貼着するのが好ましいが、特に体裁を気にしないのであれば、板状部材１０１を貼着する必要はない。
【００３９】
又、紙製構造体１００をラック及びスツール兼用として使用する場合には、上面板に腰かけられる程度まで強度を高くするため、図４に示すような紙製構造材２０を背面板として付設するのが好ましい。
【００４０】
さらに、図４に示すような紙製構造材２０を正面板及び背面板として付設すれば、より強度の高いスツールを構成することができる。
【００４１】
紙製構造体１００は、その構成部材として紙製構造材１０，２０を使用し、それらを複数縦横に配置して構成してあるから、紙製構造体１００の強度も大きく、十分に重量の大きいものも載置できる。又、長期に亘って形状を維持することができ、構成部材が変形、変色し難い。
【００４２】
又、構成部材である紙製構造材１０，２０の内部に長さ方向に連続する空洞Ｓが画成されているから、この空洞Ｓを空気が流通することによって、湿気が内部に籠り難く、紙製構造材１０，２０の表面に水分が付着するのを防止できるから、長期に亘って形状を維持できると共に、各構成部材が変形及び変色し難い。
【００４３】
［実施形態２］
さらに、本発明の紙製構造材の好適な他の実施形態について、以下、図面を参照して詳細に説明する。
ここで、図６は、他実施形態の紙製構造材の（Ａ）は平面図、（Ｂ）は正面図、（Ｃ）は側面図、（Ｄ）は底面図、図７は、他実施形態の紙製構造材の（Ａ）は平面図、（Ｂ）は正面図、（Ｃ）は側面図、（Ｄ）は底面図、図８は、他実施形態の紙製構造材の（Ａ）は平面図、（Ｂ）は正面図、（Ｃ）は側面図、（Ｄ）は底面図である。
【００４４】
他実施形態の紙製構造材を構成する素材１も、図１に示すものと同様のものであり、紙製構造材１０と同様にして、４つの角隅部１０ａを有する矩形状断面を呈する紙製構造材を構成するが、他実施形態の紙製構造材３０，４０，５０は、さらに、その端部を適宜傾斜角度に切欠したものである。
【００４５】
紙製構造材３０は、図６に示すように、一端部の傾斜角度α１を６７．５°、他端部の傾斜角度α２を４５°としてある。
【００４６】
又、一端部には、薄肉ｔ２の金属製板材から成り、中空の矩形状断面を呈する連結部材６１を、他端部には、薄肉ｔ２の金属製板材から成り、中空の矩形状断面を呈する連結部材６２を固着してある。
【００４７】
この連結部材６１，６２の金属製板材としては、軽量性及び防錆性を考慮して、アルミニウム板、ステンレス鋼板を採用するのが好ましい。
【００４８】
紙製構造材４０は、図７に示すように、一端部の傾斜角度β１を４５°、他端部の傾斜角度β２を６７．５°としてある。
【００４９】
紙製構造材５０は、図８に示すように、一端部の傾斜角度γ１を４５°としてあるが、他端部は切欠していない。
【００５０】
次に、本発明の紙製構造体の好適な他の実施形態について、以下、図面を参照して詳細に説明する。
ここで、図９は、図６乃至８に示す紙製構造材３０，４０，５０を使用して構成した、紙製構造体としての室内装飾品の外観側面図である。
【００５１】
紙製構造体２００としての室内装飾品は、図９に示すように、紙製構造材３０，４０，５０を長さ方向に連結して構成される。
すなわち、紙製構造材３０の一端部に紙製構造材４０の他端部を連結部材６１を介して連結し、紙製構造材３０の他端部に紙製構造材５０の一端部を連結部材６２を介して連結すれば、図９に示す紙製構造体２００としての室内装飾品を構成することができる。
【００５２】
紙製構造体２００を室内装飾品として使用する場合には、各紙製構造材３０，４０，５０の外表面に装飾用の色彩紙、模様紙等を貼着するのが好ましい。
【００５３】
紙製構造体２００においては、紙製構造材３０，４０，５０の連結部所に強い負荷が掛かるが、この連結部所には金属製の連結部材６１，６２を配置してあるから、連結部所において容易に折損し、破壊することはない。
そして、このような構成によれば、連結部所の強度を十分に確保した上で、複数の紙製構造材を適宜角度で連結することによって、種々形態の室内装飾品を紙製構造体２００として構成することができる。
【００５４】
紙製構造体２００においても、その構成部材である紙製構造材３０，４０，５０の内部に長さ方向に連続する空洞Ｓが画成されているから、この空洞Ｓを空気が流通することによって、湿気が内部に籠り難く、紙製構造材３０，４０，５０の表面に水分が付着するのを防止できるから、長期に亘って形状を維持できると共に、各構成部材が変形及び変色し難い。
【００５５】
上記実施例においては、紙製構造材として、矩形断面形状のものを説明したが、三角形断面形状を呈するトラス型、六角形断面形状を呈するものを組み合わせたハニカム型等の断面形状の紙製構造材を構成してもよい。
【００５６】
又、本発明の紙製構造材及び紙製構造材体は、容易に分解又は破壊できて、焼却することができるから、廃棄処分のための費用もかからない。又、環境に優しい省エネ製品を提供することができる。
【００５７】
さらに、紙製構造材として種々形態のものを用意しておけば、これら紙製構造材を適宜組み合わせことによって、所望のデザインの室内家具、又、斬新なデザインの室内装飾品を構成することができる。
【符号の説明】
【００５８】
１  素材
２  板状部材
３  折曲溝部
３ａ  傾斜面
４  側端部
４ａ  傾斜面
１０  紙製構造材
１０ａ  角隅部
１０Ａ  紙製構造材
１０Ｂ  紙製構造材
２０  紙製構造材
３０  紙製構造材
４０  紙製構造材
５０  紙製構造材
６１  連結部材
６２  連結部材
１００  紙製構造体
２００  紙製構造体
Ｓ  空洞
【図１】
2017023303.tif 000003
【図２】
2017023303.tif 000004
【図３】
2017023303.tif 000005
【図４】
2017023303.tif 000006
【図５】
2017023303.tif 000007
【図６】
2017023303.tif 000008
【図７】
2017023303.tif 000009
【図８】
2017023303.tif 000010
【図９】
2017023303.tif 000011